(57)【要約】      （修正有）【課題】タッチセンサーに備えられた複数のタッチ電極と発光素子層に備えられた陰極の間に生じる寄生容量を減らすことによって、タッチセンサーの性能低下を防止することができる表示装置を提供する。【解決手段】第１画素及び第２画素を含む複数の画素を備えた基板１００、前記基板上に備えられ、前記第１画素及び前記第２画素に個別に備えられた陽極、前記第１画素と前記第２画素間の境界に備えられた第１バンク層、前記陽極上に備えられた発光層、及び前記発光層上に備えられた陰極を備える発光素子層３００、前記発光素子層の上に備えられた封止層４００、前記封止層上に備えられたタッチセンサー５００を備え、前記陰極は、前記第１画素に備えられた第１陰極及び前記第２画素に備えられた第２陰極を含み、前記第１陰極と前記第２の陰極は前記第１バンク層によって互いに分離されている表示装置。【選択図】図９
2018110096.tif 000002
【特許請求の範囲】
【請求項１】
第１画素及び第２画素を含む複数の画素を備えた基板；
前記基板上に備えられ、前記第１画素及び前記第２画素に個別に備えられた陽極、前記第１画素と前記第２画素との間の境界に備えられた第１バンク層、前記陽極上に備えられた発光層、及び前記発光層上に備えられた陰極を備える発光素子層；
前記発光素子層上に備えられた封止層；
前記封止層上に備えられたタッチセンサーを備え、
前記陰極は、前記第１画素に備えられた第１陰極及び前記第２画素に備えられた第２陰極を含み、前記第１陰極と前記第２陰極は、前記第１バンク層によって互いに分離されている表示装置。
【請求項２】
前記第１陰極と前記第２陰極それぞれの端が、前記第１バンク層の側面と向き合う請求項１に記載の表示装置。
【請求項３】
前記第１陰極と前記第２陰極の上面が、前記第１バンク層の上面よりも低い請求項１に記載の表示装置。
【請求項４】
前記第１陰極が、第１方向に前記基板の非表示領域まで延長され、
前記第２陰極は、前記第１方向に前記基板の非表示領域まで延長された請求項１に記載の表示装置。
【請求項５】
前記第１画素及び第２画素それぞれが、四角形構造からなり、
前記第１陰極は、前記第１画素を含む前記複数の画素の一部に対応しながらストライプ形態に配列され、
前記第２陰極は、前記第２画素を含む前記複数の画素の一部に対応しながらストライプ形態に配列された請求項４に記載の表示装置。
【請求項６】
前記第１画素及び第２画素それぞれが、ダイヤモンド構造またはペンタイル構造からなり、
前記第１陰極は、前記第１画素を含む複数の画素の一部に対応しながらジグザグ形態に配列され、
前記第２陰極は、前記第２画素を含む複数の画素の一部に対応しながらジグザグ形態に配列された請求項４に記載の表示装置。
【請求項７】
前記第１陰極と前記第２陰極が、前記基板の非表示領域に備えられた接続電極によって電気的に接続されている請求項４に記載の表示装置。
【請求項８】
前記複数の画素のうち、前記第１方向に配列された隣接する画素間の境界に備えられた第２バンク層をさらに含み、
前記第１陰極と前記第２陰極が、前記第２バンク層の上面上に延長されている請求項４に記載の表示装置。
【請求項９】
前記タッチセンサーが、前記第１バンク層とオーバーラップした第１及び第２タッチ電極を含んでなる請求項１に記載の表示装置。
【請求項１０】
前記第１及び第２タッチ電極が、前記第１陰極及び前記第２陰極とオーバーラップしない請求項９に記載の表示装置。
【請求項１１】
前記タッチセンサー上に備えられたカラーフィルター層をさらに備える請求項１に記載の表示装置。
【請求項１２】
前記発光層が、白色を発光し、前記第１バンク層上に追加で設置されていて、
前記陰極と接する前記発光層の上部にはフォトクロミック物質を含む請求項１１に記載の表示装置。
【請求項１３】
前記第１バンク層及び第２バンク層が、互いに異なる方向に配列されている請求項８に記載の表示装置。
【請求項１４】
前記カラーフィルター層が、隣接する画素間の境界にブラックマトリックスを備え、隣接するブラックマトリックスの間に備えられたカラーフィルター、及び前記カラーフィルター上に備えられたオーバーコート層を備える請求項１１に記載の表示装置。
【請求項１５】
複数の画素を含む基板；
前記基板上に備えられた封止層；
前記封止層の一面と接する発光素子層；
前記封止層の他面と接するタッチセンサー；および
前記発光素子層内に備えられ、前記封止層の一面の一部と接する陰極を備え、
前記発光素子層は、前記複数の画素間の境界に備えられたバンク層を含み、前記陰極の一部分から前記タッチセンサーまでの距離は、前記タッチセンサーから前記バンク層の上面までの距離よりも遠い表示装置。
【請求項１６】
前記封止層の前記一面の他の部分が、前記陰極及び前記バンク層と接しない請求項１５に記載の表示装置。
【請求項１７】
前記複数の画素が、四角形の構造からなり、
前記陰極は、前記複数の画素の一部に対応しながらストライプ形態に配列配置された請求項１５に記載の表示装置。
【請求項１８】
前記複数の画素が、ダイヤモンド構造またはペンタイル構造からなり、
前記陰極は、前記複数の画素の一部に対応しながらジグザグ形態に配列された請求項１５に記載の表示装置。
【請求項１９】
前記封止層と反対面に該当する前記タッチセンサーの表面上に備えられたカラーフィルター層をさらに含んでなる請求項１５に記載の表示装置。
【請求項２０】
前記バンク層が、第１方向に延長された第１バンク層及び第２方向に延長された第２バンク層を含み、
前記陰極は、前記第１バンク層の上面上に延長され、前記第２バンク層の上面上に延長されない請求項１５に記載の表示装置。
【発明の詳細な説明】
【技術分野】
【０００１】
本発明は、表示装置に関するものであり、より詳細には、タッチセンサーを備えた表示装置に関するものである。
【背景技術】
【０００２】
表示装置は、二つの電極間に発光層が形成された構造からなり、前記二つの電極間の電界によって前記発光層が発光することによって、画像を表示する装置である。
【０００３】
前記発光層は、電子と正孔の結合によってエキシトン（exciton）が生成され、生成されたエキシトンが励起状態（excited state）から基底状態（ground state）に落ちながら発光する有機物からなり得、量子ドット（Quantum dot）のような鉱物からもなり得る。
【０００４】
前記表示装置は、その入力手段としては、マウスやキーボードが一般的であるが、ナビゲーション（navigation）、携帯端末および家電製品などの場合には、指やペンで直接情報を入力することができるタッチセンサーが多く適用されている。
【０００５】
以下、図を参照して、従来のタッチセンサーを備えた表示装置について説明することにする。
【０００６】
図１は、従来の表示装置の概略的な断面図である。
【０００７】
図１に示すように、従来の表示装置は、基板１０は、回路素子層２０、発光素子層３０、封止層（encapsulation layer）４０、およびタッチセンサー５０を備える。
【０００８】
前記回路素子層２０は、前記基板１０上に形成されている。前記回路素子層２０には、各種の配線、スイッチング薄膜トランジスタ及び駆動薄膜トランジスタのような薄膜トランジスタ、及びキャパシタ等が形成されている。
【０００９】
前記発光素子層３０は、前記回路素子層２０上に形成されている。前記発光素子層３０は、陽極３１、バンク層３２、発光層３３、および陰極３４を備える。
【００１０】
前記陽極３１は、画素ごとにパターン形成されている。前記バンク層３２は、マトリックス構造で形成されて画素領域を定義する。前記発光層３３は、前記陽極３１上に形成されている。前記陰極３４は、前記発光層３３上に形成されている。前記陰極３４は、複数の画素において共通電極として機能し、したがって、前記陰極３４は、前記基板１０上に全体的に形成されている。
【００１１】
前記封止層４０は、前記発光素子層３０上に形成されている。前記封止層４０は、外部の水分や酸素が前記発光素子層３０内の発光層３３に浸透することを防止し、前記発光素子層３０が劣化することを防止する。
【００１２】
前記タッチセンサー５０は、前記封止層４０上に形成されている。前記タッチセンサー５０は、使用者のタッチを検出するための複数のタッチ電極を備える。
【００１３】
しかし、このような従来の表示装置は、前記タッチセンサー５０に備えられた複数のタッチ電極と前記発光素子層３０に備えられた前記陰極３４との間で寄生容量が生じ、それによって前記タッチセンサー５０の性能が低下するという欠点がある。
【発明の概要】
【発明が解決しようとする課題】
【００１４】
本発明は、前述した従来の問題点を解決するために考案されたものであり、本発明は、タッチセンサーに備えられた複数のタッチ電極と発光素子層に備えられた陰極の間に生じる寄生容量を減らすことによって、タッチセンサーの性能低下を防止することができる表示装置を提供することを目的とする。
【課題を解決するための手段】
【００１５】
本発明は、前記目的を達成するために、第１画素及び第２画素を含む複数の画素を備えた基板、前記基板上に備えられ、前記第１画素及び前記第２画素に個別に備えられた陽極、前記第１画素と前記第２画素との間の境界に備えられた第１バンク層、前記陽極上に備えられた発光層、及び前記発光層上に備えられた陰極を備える発光素子層、前記発光素子層上に備えられた封止層、前記封止層上に備えられたタッチセンサーを備え、前記陰極は、前記第１画素に備えられた第１陰極及び前記第２画素に備えられた第２陰極を含み、前記第１陰極と前記第２陰極は、前記第１バンク層によって互いに分離されている表示装置を提供する。
【００１６】
本発明はまた、基板、前記基板上に備えられた絶縁層、前記絶縁層の一面と接する発光素子層、前記絶縁層の他面と接するタッチセンサー、および前記発光素子層内に備えられ前記絶縁層の一面の一部分と接する陰極を備え、前記陰極から前記タッチセンサーまでの距離は、前記陰極と接していない前記絶縁層の一面の他の部分から、前記タッチセンサーまでの距離よりも遠い表示装置を提供する。
【００１７】
本発明はまた、複数の画素を備えた基板、前記基板上に備えられ、陽極、バンク層、発光層、および陰極を備える発光素子層、および前記発光素子層の上に備えられ前記陰極と向き合うタッチセンサーを備え、前記陰極は、前記バンク層の少なくとも一部の上面上に延長しないように備えられた表示装置を提供する。
【発明の効果】
【００１８】
以上のような本発明によれば、次のような効果がある。
【００１９】
本発明の一実施例によると、陰極がバンク層によって互いに分離された第1陰極と第2陰極を含むようにパターン形成されているので、陰極を基板上に全体的に形成する従来の場合に比べて、前記陰極の面積が減って、タッチセンサーに備えられた複数のタッチ電極と前記陰極との間で生じる寄生容量が減ってタッチセンサーの性能低下を防止することができる。
【００２０】
また、本発明の一実施例の場合は、前記陰極が、前記バンク層の上面上に延長されないので、従来の場合に比べて、前記タッチセンサーと前記陰極との間の距離が遠くなって前記タッチセンサーに備えられた複数のタッチ電極と前記陰極との間で生じる寄生容量が減ってタッチセンサーの性能の低下が防止され得る。
【図面の簡単な説明】
【００２１】
【図１】従来の表示装置の概略的な断面図である。
【図２】本発明の一実施例に係る表示装置の概略的な断面図である。
【図３】本発明の一実施例に係るタッチセンサーを構成するタッチ電極を示した概略的な断面図である。
【図４】本発明の他の実施例に係るタッチセンサーを構成するタッチ電極を示した概略的な断面図である。
【図５】図５（ａ）及び図５（ｂ）は、本発明の多様な実施例に係るバンク層と陰極の構造を示した概略的な平面図である。
【図６】図６（ａ）及び図６（ｂ）は、本発明の多様な実施例に係るバンク層と陰極の構造を示した概略的な平面図である。
【図７】図７（ａ）及び図７（ｂ）は、本発明の多様な実施例に係るバンク層と陰極の構造を示した概略的な平面図である。
【図８】図８（ａ）及び図８（ｂ）は、本発明の多様な実施例に係るバンク層と陰極の構造を示した概略的な平面図である。
【図９】本発明の他の実施例に係る表示装置の概略的な断面図である。
【図１０ａ】発光素子層を形成する本発明の一実施例による方法を示した図である。
【図１０ｂ】発光素子層を形成する本発明の一実施例による方法を示した図である。
【図１０ｃ】発光素子層を形成する本発明の一実施例による方法を示した図である。
【発明を実施するための形態】
【００２２】
本発明の利点および特徴、そしてそれらを達成する方法は、添付の図と共に詳細に後述されている実施例を参照すると明確になるだろう。しかし、本発明は、以下で開示される実施例に限定されるものではなく、異なる多様な形態で具現されるものであり、単に本実施例は、本発明の開示を完全にし、本発明が属する技術分野で通常の知識を有する者に発明の範疇を完全に知らせるために提供するものであり、本発明は、請求項の範疇によってのみ定義される。
【００２３】
本発明の実施例を説明するための図に開示された形状、大きさ、比率、角度、数などは例示的なものなので、本発明は、図に示された事項に限定されるものではない。明細書全体にわたって同一参照符号は同一の構成要素を指す。また、本発明を説明するにおいて、関連する公知技術に対する具体的な説明が本発明の要旨を不必要に曖昧にすると判断される場合、その詳細な説明は省略する。本明細書で言及した「備える」、「含む」、「有する」、「〜からなる」などが使用されている場合は、「〜だけ」が使用されていない限り、他の部分が追加され得る。構成要素を単数で表現した場合に特に明示的な記載事項がない限り、複数が含まれる場合を含む。
【００２４】
構成要素を解釈するにおいて、別個の明示的な記載がなくても誤差の範囲を含むものと解釈する。
【００２５】
位置関係の説明の場合には、例えば、「〜上に」、「〜上部に」、「〜下部に」、「〜の隣に」など２つの部分の位置関係が説明されている場合は、「すぐに」または「直接」が使用されていない限り、二つの部分の間に1つ以上の他の部分が位置することもできる。
【００２６】
時間の関係に関する説明の場合には、例えば、「〜の後」、「〜に続いて」、「〜次に」、「〜前に」などと、時間的前後関係が説明されている場合は、「すぐに」または「直接」が使用されていない以上、連続していない場合も含むことができる。
【００２７】
第１、第２などが、さまざまな構成要素を記述するために使用されるが、これらの構成要素はこれらの用語によって制限されない。これらの用語は、単に一つの構成要素を他の構成要素と区別するために使用されるものである。したがって、以下に記載されている第１の構成要素は、本発明の技術的思想内で第２の構成要素であることもある。
【００２８】
本発明のいくつかの実施例のそれぞれの特徴は部分的または全体的に互いに結合または組み合わせ可能で、技術的に多様な連動および駆動が可能であり、各実施例は互いに対して独立して実施可能であり、また連係の関係で一緒に実施することもできる。
【００２９】
以下、図面を参照、本発明の好ましい実施例について詳細に説明する。
【００３０】
図２は、本発明の一実施例に係る表示装置の概略的な断面図である。
【００３１】
図２に示すように、本発明の一実施例に係る表示装置は、基板１００、回路素子層２００、発光素子層３００、封止層４００、タッチセンサー５００、およびカバーフィルム７００を備える。
【００３２】
前記基板１００は、ガラスまたは曲げたり反ったりすることができる透明なプラスチック、例えば、ポリイミドを用いることができるが、必ずしもそれに限定されるものではない。
【００３３】
前記回路素子層２００は、前記基板１００上に形成されている。前記回路素子層２００は、多数の配線、前記多数の配線と電気的に接続される薄膜トランジスタおよびコンデンサを備え得る。前記多数の配線は、ゲート配線、データ配線および電源配線を含むことができる。前記薄膜トランジスタは、スイッチング薄膜トランジスタ、駆動薄膜トランジスタ、及びセンシング薄膜トランジスタを含むことができる。このような回路素子層２００の具体的な構成は、当業界に公知された多様な形態に変更することができる。
【００３４】
前記発光素子層３００は、前記回路素子層２００上に形成されている。
【００３５】
前記発光素子層３００は、陽極（anode）３１０、バンク層３２０、発光層３３０、及び陰極（cathode）３４０を備え得る。
【００３６】
前記陽極３１０は、前記回路素子層２００上で画素（Ｐ１、Ｐ２、Ｐ３）ごとにパターン形成されている。前記陽極３１０は、反射電極からなり得、それによって前記発光層３３０で発光した光が、前記陽極３１０で反射し、前記カバーフィルム７００を通じて外部に放出され得る。このような反射電極からなる陽極３１０は、前記回路素子層２００上に形成された反射層及び前記反射層上に形成された透明導電層を備え得るが、必ずしもそれに限定されるものではない。
【００３７】
前記バンク層３２０は、前記陽極３１０の端を覆いながら、前記回路素子層２００上に形成されている。前記バンク層３２０は、マトリックス構造でパターン形成されて画素（Ｐ１、Ｐ２、Ｐ３）領域を定義する。したがって、前記バンク層３２０は、画素（Ｐ１、Ｐ２、Ｐ３）領域間の境界に形成される。
【００３８】
前記発光層３３０は、前記陽極３１０上に形成される。前記発光層３３０は、画素（Ｐ１、Ｐ２、Ｐ３）ごとにパターン形成された赤色発光層、緑色発光層、及び青色発光層を備え得る。前記発光層３３０は、正孔注入層、正孔輸送層、有機発光層、電子輸送層、および電子注入層を備え得るが、必ずしもそれに限定されるものではない。場合によって、前記発光層３３０は、量子ドット（Quantum dot）のような鉱物からもなり得る。
【００３９】
前記陰極３４０は、前記発光層３３０上に形成されている。前記陰極３４０は、透明な導電物質または半透明の導電材料からなり得る。
【００４０】
前記陰極３４０は、前記基板１００上に全体的に形成しないで、所定の形式でパターン形成されている。例えば、前記陰極３４０は、第１画素（Ｐ１）に備えられた第１陰極３４０ａ、第２画素（Ｐ２）に備えられた第２陰極３４０ｂ、及び第３画素（Ｐ３）に備えられた第３陰極３４０ｃを備え得る。
【００４１】
前記第１陰極３４０ａ、第２陰極３４０ｂ、及び第３陰極３４０ｃは、前記バンク層３２０によって互いに分離されている。また、前記第１陰極３４０ａ、第２陰極３４０ｂ、及び第３陰極３４０ｃは、前記バンク層３２０の上面に形成されていない。
【００４２】
すなわち、前記第１陰極３４０ａ、第２陰極３４０ｂ、及び第３陰極３４０ｃは、前記バンク層３２０の上面上に延長されておらず、それによって、前記第１陰極３４０ａ、第２陰極３４０ｂ、及び第３陰極３４０ｃのそれぞれの端は、前記バンク層３２０の側面と向き合う。
【００４３】
一方、前記第１陰極３４０ａ、第２陰極３４０ｂ、及び第３陰極３４０ｃに同じ電圧を印加することができ、この場合、前記第１陰極３４０ａ、第２陰極３４０ｂ、及び第３陰極３４０ｃは、互いに電気的に接続することができる。このように、前記第１陰極３４０ａ、第２陰極３４０ｂ、及び第３陰極３４０ｃとの間の電気的接続は、前記基板１００の端の領域でなされるが、これについては後述する図５〜図８を参照すると容易に理解できるだろう。
【００４４】
前記封止層４００は、前記発光素子層３００上に形成されている。
【００４５】
前記封止層４００は、外部の水分や酸素が前記発光素子層３００内に侵入することを防止し、前記発光素子層３００が劣化することを防止する。前記封止層４００は、絶縁物からなり得る。
【００４６】
前記タッチセンサー５００は、前記封止層４００上に形成され、前記封止層４００を間に置いて、前記発光素子層３００の陰極３４０と向き合う。
【００４７】
前記タッチセンサー５００は、使用者のタッチを検出するための複数のタッチ電極を備え得る。前記タッチセンサー５００は、ミューチュアル容量（Mutual Capacitance）タイプからなり得るが、必ずしもそれに限定されるものではない。前記タッチセンサー５００は、当業界に公知された多様な形態に変更することができる。
【００４８】
前記カバーフィルム７００は、前記タッチセンサー５００上に形成されている。前記カバーフィルム７００は、画像が表示される面に形成されて、画面に傷などが発生することを防止し、また、外部の衝撃から表示装置を保護する。
【００４９】
以上のような本発明の一実施例によれば、前記発光素子層３００に備えられた陰極３４０が、前記バンク層３２０によって互いに分離された第１陰極３４０ａ、第２陰極３４０ｂ、及び第３陰極３４０ｃを含むようにパターン形成されている。したがって、本発明の一実施例の場合は、前記陰極３４０を基板１００上に全体的に形成する従来の場合に比べて、前記陰極３４０の面積が減り、前記タッチセンサー５００に備えられた複数のタッチ電極と前記陰極３４０との間で生じる寄生容量が減ることになる。
【００５０】
また、本発明の一実施例の場合は、前記第１陰極３４０ａ、第２陰極３４０ｂ、及び第３陰極３４０ｃが、前記バンク層３２０の上面上に延長されないので、従来の場合に比べて、前記タッチセンサー５００と前記陰極３４０との間の距離が遠くなって、前記タッチセンサー５００に備えられた複数のタッチ電極と前記陰極３４０との間で生じる寄生容量が減ることになる。
【００５１】
すなわち、本発明の一実施例によると、絶縁物からなる封止層４００の一面４００ａに前記発光素子層３００が接して前記封止層４００の他面４００ｂにタッチセンサー５００が接するように備えられている。ここで、前記発光素子層３００内の陰極３４０は、前記封止層４００の一面４００ａの一部分４００ａ１と接して、前記封止層４００の一面４００ａの他の部分４００ａ２は、前記陰極３４０と接することなく、前記発光素子層３００内のバンク層３２０と接する。
【００５２】
したがって、前記陰極３４０から前記タッチセンサー５００までの距離（Ｄ１）が前記封止層４００の一面４００ａの他の部分４００ａ２から前記タッチセンサー５００までの距離（Ｄ２）よりも遠くなり、従来に比べて前記陰極３４０と前記タッチセンサー５００との間の寄生容量が減ることになる。
【００５３】
図３は、本発明の一実施例に係るタッチセンサー５００を構成するタッチ電極５０１、５０２を示した概略的な断面図であり、図４は、本発明の他の実施例に係るタッチセンサー５００を構成するタッチ電極５０１、５０２を示した概略的な断面図である。
【００５４】
図３及び図４では、便宜上、図２の基板１００、回路素子層２００、およびカバーフィルム７００の図示を省略し、発光素子層３００、封止層４００、およびタッチセンサー５００だけを示した。前記発光素子層３００と封止層４００の構成は、前述した図２と同じなので、反復説明は省略する。
【００５５】
図３に示すように、前記封止層４００上に形成されたタッチセンサー５００は、互いに電気的に絶縁された第１タッチ電極５０１及び第2タッチ電極５０２を備える。
【００５６】
前記第１タッチ電極５０１は、信号を伝送する伝送電極（transmitting electrode）として機能して前記第2タッチ電極５０２は、信号を受信する受信電極（receiving electrode）として機能することができるが、必ずしもそれに限定されるのではない。
【００５７】
前記第１タッチ電極５０１と前記第２タッチ電極５０２は、ＩＴＯのような透明な導電物質からなる。この場合、前記第１タッチ電極５０１および前記第２タッチ電極５０２の電気伝導度が良くないので、前記第１タッチ電極５０１および前記第２タッチ電極５０２の面積を増加させることが好ましく、そのため前記第１タッチ電極５０１および前記第２タッチ電極５０２との間の間隔を狭くする。最後に、前記第１タッチ電極５０１および前記第２タッチ電極５０２は、バンク層３２０とオーバーラップするとともに、前記陰極３４０ともオーバーラップし得る。
【００５８】
それに対して、図４に示すように、前記第１タッチ電極５０１および前記第２タッチ電極５０２は、バンク層３２０とは、オーバーラップするが、前記陰極３４０とは、オーバーラップしないように形成することができる。この場合、前記第１タッチ電極５０１および前記第２タッチ電極５０２は、電気伝導度が優れた金属材料からなることが好ましい。
【００５９】
図４のように、前記第１タッチ電極５０１および前記第２タッチ電極５０２がバンク層３２０とは、オーバーラップするが、前記陰極３４０とは、オーバーラップしないように形成する場合には、図３の場合に比べて、前記タッチ電極５０１、５０２と前記陰極３４０との間の距離が遠くなって、前記タッチ電極５０１、５０２と前記陰極３４０との間で生じる寄生容量がさらに減ることになる。
【００６０】
図５〜図８は、本発明の多様な実施例に係るバンク層３２０と陰極３４０の構造を示す概略的な平面図である。
【００６１】
図５（ａ）に示すように、本発明の一実施例によると、バンク層３２０は、基板１００上で全体的にマトリックス構造を形成し、複数の画素（Ｐ１、Ｐ２、Ｐ３）領域を定義する。詳しくは、前記バンク層３２０は、第１方向、例として横方向に配列された第１バンク層３２０ａ、及び第２方向、例として、縦方向に配列された第２バンク層３２０ｂを備え、前記第１バンク層３２０ａと前記第２バンク層３２０ｂが互いに交差して、複数の画素（Ｐ１、Ｐ２、Ｐ３）領域が定義される。それにしたがって、赤色画素、緑色画素、および青色画素を含む複数の画素（Ｐ１、Ｐ２、Ｐ３）は、四角形の構造からなる。また、赤色画素、緑色画素、および青色画素は横方向または縦方向に連続して配列することによって、複数の赤色画素、複数の緑色画素、および複数の青色画素がそれぞれストライプ形態に配列され得る。
【００６２】
図５（ｂ）に示すように、本発明の一実施例によれば、前記基板１００上には、陰極３４０がパターン形成されている。前記陰極３４０は、第１陰極３４０ａ、第２陰極３４０ｂ、第３陰極３４０ｃ、および接続電極３４０ｄを備える。
【００６３】
前記第１陰極３４０ａは、第１画素（Ｐ１）が位置した列（column）の複数の画素に対応するように縦方向に長く延長されていて、前記第２陰極３４０ｂは、第２画素（Ｐ２）が位置した列（column）の複数の画素に対応するように縦方向に長く延長されていて、前記第３陰極３４０ｃは、第３画素（Ｐ３）が位置した列（column）の複数の画素に対応するように縦方向に長く延長されている。例として、第１陰極３４０ａは、ストライプ形態の複数の赤色画素に対応するように形成され、前記第２陰極３４０ｂは、ストライプ形態の複数の緑色画素に対応するように形成され、前記第３陰極３４０ｃは、ストライプ形態の複数の青色画素に対応するように形成することができる。本明細書で陰極３４０ａ、３４０ｂ、３４０ｃが複数の画素に対応するということは、陰極３４０ａ、３４０ｂ、３４０ｃが複数の画素および複数の画素間の境界領域とオーバーラップすることを意味する。
【００６４】
また、前記接続電極３４０ｄは、前記第１陰極３４０ａ、第２陰極３４０ｂ、及び前記第３陰極３４０ｃにそれぞれ接続して、前記基板１００の非表示領域に形成されている。前記接続電極３４０ｄに接続できるようにするために、前記第１陰極３４０ａ、第２陰極３４０ｂ、及び第３陰極３４０ｃのそれぞれは、前記基板１００の非表示領域まで長く延長されている。
【００６５】
前記接続電極３４０ｄは、前記基板１００の端に沿って形成することができ、したがって、前記基板１００が四角形の構造である場合、前記接続電極３４０ｄは四角形フレーム構造からなる。
【００６６】
前記第１陰極３４０ａ、第２陰極３４０ｂ、及び前記第３陰極３４０ｃは、前記接続電極３４０ｄによって相互に接続しているので、前記第１陰極３４０ａ、第２陰極３４０ｂ、及び前記第３陰極３４０ｃには、共通した電圧が印加され得る。
【００６７】
前記第１陰極３４０ａ、第２陰極３４０ｂ、第３陰極３４０ｃ、及び前記接続電極３４０ｄは、同じ物質で構成され、一体（one body）に形成する。
【００６８】
前記第１陰極３４０ａ、第２陰極３４０ｂ、及び前記第３陰極３４０ｃのそれぞれは、前記縦方向に配列された第２バンク層３２０ｂの領域を間に置いて互いに分離されている。したがって、前記第１陰極３４０ａ、第２陰極３４０ｂ、及び前記第３陰極３４０ｃのそれぞれは、前記横方向に配列された第１バンク層３２０ａの上面上には延長されるが、前記縦方向に配列された第２バンク層３２０ｂの上面上には延長されない。
【００６９】
このように、前記陰極３４０が、前記第２バンク層３２０ｂの上面上に延長されないので、その分、前記陰極３４０の全体の面積が減り、特に前述したタッチ電極５０１、５０２と、相対的に近く位置する陰極３４０の面積が減るので、タッチ電極５０１、５０２と陰極３４０との間の寄生容量が減る。
【００７０】
また、前記陰極３４０が、前記第２バンク層３２０ｂの上面に延長されないので、図２を参照すると、前記第２バンク層３２０ｂの上面に延長されない前記陰極３４０の一部分から前記タッチセンサー５００までの距離（Ｄ１）は、前記タッチセンサー５００から前記バンク層３２０の上面までの距離（Ｄ２）より遠い。
【００７１】
図６（ａ）に示す本発明の他の実施例に係るバンク層３２０は、前述した図５（ａ）に示したバンク層３２０と同一である。
【００７２】
図６（ｂ）に示す本発明の他の実施例に係る陰極３４０は、第１陰極３４０ａ、第２陰極３４０ｂ、第３陰極３４０ｃ、および接続電極３４０ｄを備える。
【００７３】
前記第１陰極３４０ａは、一つの行（row）の複数の画素に対応するように横方向に長く延長されていて、前記第２陰極３４０ｂは、他の行の複数の画素に対応するように横方向に長く延長されていて、前記第３陰極３４０ｃは、また他の行の複数の画素に対応するように横方向に長く延長されている。特に、前記第１陰極３４０ａ、第２陰極３４０ｂ、及び第３陰極３４０ｃのそれぞれは、前記基板１００の非表示領域まで長く延長されている。
【００７４】
また、前記接続電極３４０ｄは、前記第１陰極３４０ａ、第２陰極３４０ｂ、及び前記第３陰極３４０ｃにそれぞれ接続して、前記基板１００の非表示領域に四角形のフレーム構造で形成されている。
【００７５】
前記第１陰極３４０ａ、第２陰極３４０ｂ、及び前記第３陰極３４０ｃのそれぞれは、前記横方向に配列された第１バンク層３２０ａの領域を間に置いて互いに分離されている。したがって、前記第１陰極３４０ａ、第２陰極３４０ｂ、及び前記第３陰極３４０ｃのそれぞれは、前記縦方向に配列された第２バンク層３２０ｂの上面上には延長されるが、前記横方向に配列された第１バンク層３２０ａの上面上には延長されない。
【００７６】
このように、前記陰極３４０が前記第１バンク層３２０ａの上面上に延長されないので、その分、前記陰極３４０の全体の面積が減り、特に前述したタッチ電極５０１、５０２と、相対的に近く位置する陰極３４０の面積が減るので、タッチ電極５０１、５０２と陰極３４０との間の寄生容量が減ることになる。
【００７７】
図７（ａ）に示す本発明のまた他の実施例に係るバンク層３２０は、ダイヤモンド構造の画素（Ｐ）領域を定義するようにパターン形成されている。したがって、前記バンク層３２０は、縦方向にジグザグ形態に配列された第１バンク層３２０ａと横方向にジグザグ形態に配列された第２バンク層３２０ｂを備える。ただし、前記画素（Ｐ）は、ダイヤモンド構造以外に、ペンタイル（Pentile）構造からなることもできる。すなわち、前記バンク層３２０は、ペンタイル（Pentile）構造の画素（Ｐ）領域を定義するようにパターン形成することができる。
【００７８】
図７（ｂ）に示す本発明のまた他の実施例に係る陰極３４０は、第１陰極３４０ａ、第２陰極３４０ｂ、第３陰極３４０ｃ、および接続電極３４０ｄを備える。
【００７９】
前記第１陰極３４０ａは、１つの列（column）の複数の画素（Ｐ）に対応するように縦方向にジグザグ形態に長く延長されていて、前記第２陰極３４０ｂは、他の１つの列（column）の複数の画素に対応するように縦方向にジグザグ形態に長く延長されていて、前記第３陰極３４０ｃは、また他の１つの列（column）の複数の画素に対応するように縦方向にジグザグ形態に長く延長されている。特に、前記第１陰極３４０ａ、第２陰極３４０ｂ、及び第３陰極３４０ｃのそれぞれは、前記基板１００の非表示領域まで長く延長されている。
【００８０】
また、前記接続電極３４０ｄは、前記第１陰極３４０ａ、第２陰極３４０ｂ、及び前記第３陰極３４０ｃにそれぞれ接続して、前記基板１００の非表示領域に四角形のフレーム構造に形成されている。
【００８１】
前記第１陰極３４０ａ、第２陰極３４０ｂ、及び前記第３陰極３４０ｃのそれぞれは、前記縦方向にジグザグ形態に配列された第２バンク層３２０ｂの一部の領域を間に置いて互いに分離されている。したがって、前記第１陰極３４０ａ、第２陰極３４０ｂ、及び前記第３陰極３４０ｃのそれぞれは、前記横方向にジグザグ形態に配列された第１バンク層３２０ａの上面上には延長されるが、前記縦方向に配列された第２バンク層３２０ｂの一部の上面上には延長されない。特に、前記第１陰極３２０ａ、第２陰極３４０ｂ、及び前記第３陰極３４０ｃのそれぞれは、ダイヤモンド構造またはペンタイル構造の複数の画素（Ｐ）に対応しながらジグザグ形態に配列することができる。
【００８２】
このように、前記陰極３４０が、前記第２バンク層３２０ｂの一部の上面上に延長されないので、その分、前記陰極３４０の全体の面積が減り、特に前述したタッチ電極５０１、５０２と比較的近く位置する陰極３４０の面積が減るので、タッチ電極５０１、５０２と陰極３４０との間の寄生容量が減る。
【００８３】
図８（ａ）に示す本発明の他の実施例に係るバンク層３２０は、前述した図７（ａ）に示したバンク層３２０と同一である。
【００８４】
図８（ｂ）に示す本発明の他の実施例に係る陰極３４０は、横方向にジグザグ形態に配列されている。前記陰極３４０は、前記基板１００の非表示領域まで長く延長されている。
【００８５】
前記陰極３４０は、前記横方向にジグザグ形態に配列された第１バンク層３２０ａの一部の上面上に延長されないので、その分、前記陰極３４０の全体の面積が減り、特に前述したタッチ電極５０１、５０２と相対的に近く位置する陰極３４０の面積が減るので、タッチ電極５０１、５０２と陰極３４０との間の寄生容量が減る。
【００８６】
以上のように、本発明の多様な実施例によると、前記陰極３４０が、前記バンク層３２０の少なくとも一部の上面上に延長されないので、前記陰極３４０を、前記バンク層３２０全体の上面上に延長する従来の場合に比べて、タッチ電極５０１、５０２と陰極３４０との間の寄生容量が減ることになる。
【００８７】
以上の図５〜図８は、本発明多様な実施例に係るバンク層３２０と陰極３４０の構造を示したものであり、本発明に係るバンク層３２０と陰極３４０が、そのような構造に限定されるものではない。
【００８８】
図９は、本発明の他の実施例に係る表示装置の概略的な断面図である。
【００８９】
前述した図２に示す本発明の一実施例に係る表示装置は、タッチセンサー５００が画像が表示されるカバーフィルム７００の下面に形成されているので、外部光が前記タッチセンサー５００に備えられたタッチ電極５０１、５０２によって反射して、画像品質が低下し得る。このように、タッチ電極５０１、５０２によって外部光が反射する問題を解決するために、図２による表示装置において、前記タッチセンサー５００と前記カバーフィルム７００との間に偏光フィルムを追加することができる。
【００９０】
前記偏光フィルムを追加する場合、前記タッチセンサー５００に備えられたタッチ電極５０１、５０２によって反射した光が、前記偏光フィルムを通過せず、外部光の反射問題を解決することができる。しかし、この場合、前記偏光フィルムが追加されたことによって表示装置の輝度が低下するという欠点がある。つまり、発光素子層３００内の発光層３３０で発光した光が、前記偏光フィルムを通過する際、相当量の光が、前記偏光フィルムで遮断され得る。
【００９１】
図９は、前記タッチセンサー５００に備えられたタッチ電極５０１、５０２による外部光の反射を防止しながらも輝度が低下する問題を減らすことができる表示装置に関するものである。
【００９２】
図９に示すように、本発明の他の実施例に係る表示装置は、基板１００、回路素子層２００、発光素子層３００、封止層４００、タッチセンサー５００、カラーフィルター層６００、およびカバーフィルム７００を備える。
【００９３】
前記基板１００と、前記回路素子層２００は、前述した実施例と同様であるので反復説明は省略する。
【００９４】
前記発光素子層３００は、陽極（anode）３１０、バンク層３２０、発光層３３０、及び陰極（cathode）３４０を備え得る。
【００９５】
前記陽極３１０と、前記バンク層３２０は、前述した実施例と同様であるので反復説明は省略する。
【００９６】
前記発光層３３０は、前記陽極３１０上に形成される。前記発光層３３０は、白色（White）の光を発光するように備えることができ、この場合、前記発光層３３０は、画素ごとにパターン形成する必要がなく、前記基板１００の上面上に全体的に形成することができる。したがって、前記発光層３３０は、前記画素領域の間の境界に備えられたバンク層３２０上にも形成することができる。本発明の他の実施例に係る表示装置は、前記カラーフィルター層６００を備えているので、前記発光層３００から白色の光を発光しても前記のカラーフィルター層６００を通過しながら画素ごとに有色の光が放出され得る。
【００９７】
前記白色の光を発光する発光層３３０は、青色発光層を含むスタック（stack）と黄色発光層を含むスタック（stack）を備えることができ、赤色発光層を含むスタック（stack）、緑色発光層を含むスタック（stack）、及び青色発光層を含むスタック（stack）を備えることもできる。前記発光層３３０の構成は、当業界に公知された多様な形態で多様に変更することができる。
【００９８】
前記陰極３４０、前記封止層４００、及び前記タッチセンサー５００は、前述したのと同一なので、反復説明は省略する。
【００９９】
前記カラーフィルター層６００は、前記タッチセンサー５００上に形成されている。前記カラーフィルター層６００は、ブラックマトリックス６１０、カラーフィルター６２０、およびオーバーコート層６３０を備え得る。
【０１００】
前記ブラックマトリックス６１０は、画素間の境界に形成して画素ごとに設けられた個別のカラーフィルター６２０の領域を区画し、画素間の境界から光漏れが発生しないようにする。前記ブラックマトリックス６１０は、前記バンク層３２０とオーバーラップするように形成する。
【０１０１】
前記カラーフィルター６２０は、前記ブラックマトリックス６１０との間に形成する。前記カラーフィルター６２０は、画素ごとに設けられた赤色（Ｒ）、緑色（Ｇ）、及び青色（Ｂ）のカラーフィルターを備える。
【０１０２】
前記オーバーコート層６３０は、前記カラーフィルター６２０上に形成し基板１００の表面を平坦化する。
【０１０３】
前記カバーフィルム７００は、前記カラーフィルター層６００上に形成されている。
【０１０４】
前記カバーフィルム７００は、前記カラーフィルター層６００のオーバーコート層６３０上に直接付着することもでき、その場合、前記カバーフィルム７００を付着するための別個の透明接着層を用いなくても良いので、工程が単純化されて材料費を削減することができる。
【０１０５】
本発明の他の実施例によれば、前記カラーフィルター層６００が、前記発光素子層３００よりも発光面、すなわち、前記カバーフィルム７００に近く形成されているので、前記発光素子層３００で発光した光が、前記カラーフィルター層６００を通過しながら有色の色相に変更され、カラー表示装置の実現が可能である。
【０１０６】
特に、本発明の他の実施例によれば、前記カラーフィルター層６００が、前記タッチセンサー５００よりも発光面、すなわち、カバーフィルム７００に近い方に形成されている。すなわち、前記タッチセンサー５００が前記カラーフィルター層６００と、前記発光素子層３００との間に備えられている。それによって、前記タッチセンサー５００を構成するタッチ電極５０１、５０２によって反射した外部光が、前記のカラーフィルター層６００によって遮断され得る。したがって、前記タッチセンサー５００を構成するタッチ電極５０１、５０２による外部光の反射を低減するために、偏光フィルムのような、別個の反射防止層を形成しなくてもよく、したがって、別個の反射防止層によって輝度が低下する問題を解消し得る。
【０１０７】
図１０ａ〜図１０ｃは、前述した図９による表示装置で発光素子層３００を形成する本発明の一実施例による方法を示すものであり、特に発光層３３０上に陰極３４０をパターン形成する方法を示すものである。
【０１０８】
まず、図１０ａに示すように、陽極３１０上にバンク層３２０をパターン形成し、前記陽極３１０と、前記バンク層３２０上に発光層３３０を形成する。
【０１０９】
前記発光層３３０は、順番に積層された正孔輸送層（ＨＴＬ）、有機発光層（ＥＭＬ）、および電子輸送層（ＥＴＬ）を備える。ここで、前記電子輸送層（ＥＴＬ）には、フォトクロミック（photochromic）物質を含んでいる。
【０１１０】
次に、図１０ｂに示すように、前記発光層３３０の所定領域にＵＶを照射する。前記ＵＶを照射する領域は、後述する陰極３４０が形成される領域である。したがって、前記ＵＶは、前記バンク層３２０とオーバーラップする前記発光層３３０の領域には、照射せずに、前記バンク層３２０とオーバーラップしない前記発光層３３０の領域に、照射することができる。
【０１１１】
この場合、前記のＵＶが照射された領域では、前記電子輸送層（ＥＴＬ）に含まれたフォトクロミック（photochromic）物質で相変化が起こり、前記ＵＶが照射されない領域では、フォトクロミック物質で相変化が起こらない。
【０１１２】
次に、図１０ｃに示すように、前記発光層３３０に陰極３４０を蒸着する。
【０１１３】
前記陰極３４０は、別個のマスクなしに蒸着することができ、ここで、前記ＵＶ照射によってフォトクロミック物質で相変化が起こった領域には、前記陰極３４０が形成され、前記フォトクロミック物質で相変化が起きない領域には、前記陰極３４０が形成されない。
【０１１４】
すなわち、前記フォトクロミック物質で相変化が起きた領域では、核形成（nucleation）作用によって前記陰極３４０が蒸着されるが、前記フォトクロミック物質で相変化が起きない領域では、脱着（desorption）作用によって、前記陰極３４０が蒸着されない。
【０１１５】
このようにＵＶ照射の有無によるフォトクロミック物質の核形成（nucleation）作用および脱着（desorption）作用を利用する場合、別途のマスクなしに前記陰極３４０を希望する領域にのみパターン形成することができる。
【０１１６】
以上のように、前記陰極３４０と接触する前記発光層３３０の上部層、例えば、前記電子輸送層（ＥＴＬ）にフォトクロミック物質が含まれている場合、別個のマスク工程なしに前記陰極３４０をパターン形成することができる利点がある。
【０１１７】
以上、添付の図を参照して、本発明の実施例をさらに詳細に説明したが、本発明は、必ずしもこのような実施例に限定されるものではなく、本発明の技術思想を逸脱しない範囲内で多様に変形実施することができる。したがって、本発明に開示された実施例は、本発明の技術思想を限定するためのものではなく説明するためのものであり、このような実施例により、本発明の技術思想の範囲が限定されるものではない。従って、以上で記述した実施例は、すべての面で例示的なものであり限定的ではないと理解されなければならない。本発明の保護範囲は、特許請求の範囲によって解釈されなければならず、その同等の範囲内にあるすべての技術思想は、本発明の権利範囲に含まれるものと解釈されなければならない。
【符号の説明】
【０１１８】
１００：基板
２００：回路素子層
３００：発光素子層
４００：封止層
５００：タッチセンサー
６００：カラーフィルター層
７００：カバーフィルム
【図１】
2018110096.tif 000003
【図２】
2018110096.tif 000004
【図３】
2018110096.tif 000005
【図４】
2018110096.tif 000006
【図５】
2018110096.tif 000007
【図６】
2018110096.tif 000008
【図７】
2018110096.tif 000009
【図８】
2018110096.tif 000010
【図９】
2018110096.tif 000011
【図１０ａ】
2018110096.tif 000012
【図１０ｂ】
2018110096.tif 000013
【図１０ｃ】
2018110096.tif 000014